(57)【特許請求の範囲】
【請求項１】
芯板材と、下面板部と周囲板部とで箱形に成形し前記芯板材の下部に遊嵌状に被着する金属製下箱体と、上面板部と周囲板部とで箱形に成形し前記芯板材の上部に遊嵌状に被着する金属製上箱体とから構成するフリーアクセスフロア用パネルであって、前記上箱体の周囲板部の下部を斜め内向きに屈曲する斜面部となし、前記下箱体の周囲板部に、前記上箱体の周囲板部の板面より外側に出ない近接部位に頂部が位置する山形状の膨出部を形成したことを特徴とするフリーアクセスフロア用パネル。
【請求項２】
前記金属製上箱体の周囲板部に、芯板材の側面に係合する位置規制用凸部を形成した請求項１に記載のフリーアクセスフロア用パネル。
【請求項３】
前記下箱体の周囲板部と上箱体の周囲板部との間の空所部にコーキング材を充填した請求項１に記載のフリーアクセスフロア用パネル。
【発明の詳細な説明】
【０００１】
【発明の属する技術分野】
本発明は、床下に通信ケーブル、電力線などの配線が可能な空間を形成するフリーアクセスフロアと称される床構造に用いられるフリーアクセスフロア用パネルの改良に関する。
【０００２】
【従来の技術】
上記床構造を構成するフリーアクセスフロア用パネルとして、図４に示すフロアパネルが知られている。
【０００３】
図４において、１は珪酸カルシウム板やＧＲＣ成形板などの窯業系材料からなる芯板材、２は下面板部２ａと周囲板部２ｂとで箱形に成形し、前記芯板材１の下部に遊嵌状に被着された鋼板製下箱体、３は上面板部３ａと周囲板部３ｂとで箱形に成形し、前記下箱体２の周囲板部２ｂの全周を囲むように前記芯板材１の上部に遊嵌状に被着された鋼板製上箱体、４は下箱体２の下面板部２ａおよび３は上箱体の上面板部３ａを芯板材１に接着する接着剤である。
【０００４】
上記構成のフリーアクセスフロア用パネルは、下記のような長所を有している。
１）珪酸カルシウム材のような窯業系材料からなるパネル芯板材は、それ自体歩行性に優れているものの脆性という避けられない弱点があり、運搬や施工時の取り扱い中に角隅部が欠け易い。しかし、この芯板材の下部および上部に金属製箱体をそれぞれ被着させた構造によれば、前記弱点を解消できる。
２）パネルの寸法精度は、金属製上箱体で規制できるので、芯板材に厳密な寸法精度は要求されないから成形加工が容易である。
３）下箱体、上箱体は芯板材に遊嵌状に被着するので、その組み付け作業は容易である。また、上箱体を芯板材に接着する際に多少の位置づれを生じても、それによってパネルの寸法精度が左右されることはない。
【０００５】
【発明が解決しようとする課題】
一般に上記フロア用パネルは、一辺が４５０ｍｍ〜６００ｍｍの正方形に作製され、重量は１０〜１７ｋｇと重い。
【０００６】
それに対し、芯板材の下部および上部に被着する箱体は、普通約０．３〜０．６ｍｍの薄鋼板が使用されているので、外力を受けた際、変形し易い。
【０００７】
例えば、図５に示すように、敷設されたフロア用パネルＰ1〜Ｐ3のうち、床下空間の配線作業等のために取り出したパネルＰ2を元の位置に戻す作業において、パネルの一方の端部をまず支柱受座５上に着座させておき、その後、反対側の端部の落とし込みにより隣りの支柱受座５上に着座させるとき、図６に示すように、落とし込ませるパネルＰ2の上箱体３の周囲板部３ｂの先端が隣接するパネルＰ1の上箱体３の角隅部に衝突し、この衝突作用で、周囲板部３ｂが外側に捲り上げられてしまい、パネルの着座が不能とされることがある。
【０００８】
前記捲り上げによる変形は、上箱体３の周囲板部３ｂの下端を斜め内向きに屈曲させることによってある程度防止可能であるが、たとえ内向きに屈曲させても上板先端がパネルの外周部にでてしまい、パネルの開閉時に巻き上げによる変形が発生する可能性がある。
【０００９】
本発明は、芯板材の下部および上部に箱形の金属製箱体を被着するフロア用パネル構造の欠点を解消するためになされたものであって、敷設されたパネルのなかから取り出したパネルを元に戻す際に生じ易い上箱体の周囲板部の変形を確実に防止できるフリーアクセスフロア用パネルを提供することを主たる目的としている。
【００１０】
【課題を解決するための手段】
上記の目的を達成するため、本発明に係わるフリーアクセスフロア用パネルは、芯板材と、下面板部と周囲板部とで箱形に成形し前記芯板材の下部に遊嵌状に被着する金属製下箱体と、上面板部と周囲板部とで箱形に成形し前記芯板材の上部に遊嵌状に被着する金属製上箱体とから構成するフリーアクセスフロア用パネルであって、前記上箱体の周囲板部の下部を斜め内向きに屈曲する斜面部となし、前記下箱体の周囲板部に、前記上箱体の周囲板部の板面より外側に出ない近接部位に頂部が位置する山形状の膨出部を形成したことを要旨としている。
【００１１】
【発明の実施の形態】
本発明の好ましい実施の形態としては、図１に示すように、芯板材１と、下面板部２ａと周囲板部２ｂとで箱形に成形し、前記芯板材１の下部に遊嵌状に被着する金属製下箱体２と、上面板部３ａと周囲板部３ｂとで箱形に成形し、前記芯板材１の上部に遊嵌状に被着する金属製上箱体３とから構成するフリーアクセスフロア用パネルにおいて、前記上箱体３の周囲板部３ｂの下部を斜め内向きに屈曲する斜面部となし、前記下箱体２の周囲板部２ｂに、前記上箱体３の板面より外側に出ない近接部位に頂部が位置する山形状の膨出部２ｃを形成し、前記上箱体３の周囲板部３ｂに芯板材１の側面に係合する位置規制用凸部３ｄを形成し、下箱体２の周囲板部２ｂと上箱体３の周囲板部３ｂとの間の空所部にコーキング材５を充填して構成する。４はの下面板部２ａおよび上箱体３の周囲板部３ｂを芯板材１に接着する接着剤である。
【００１２】
前記コーキング材は、下箱体２の周囲板部２ｂと上箱体３の周囲板部３ｂとの目地部（空所部）を充填するための充填材であるが、他の充填方法としては、目地部に塩ビやポリエチレンでなる溶接棒を押し当て、熱風によって溶かしながら埋め込むことによる方法、目地部に塩ビやポリエチレンでなる溶接棒を落とし込むか、コーナ部の大きな切れ込みから差し込み、熱風で溶かすことにより、形をなじませて目地部を埋めていく方法がある。また、シリコンゴムの発泡体を目地に押し込んで圧縮することによりシールする方法もある。また、あらかじめＥＰＤＭ（エチレンプロピレンゴム）等のゴム材料を目地形状に成形し、これを目地部に貼り合わせる方法や、粘土状のエポキシあるいはシリコン材料を目地部に充填する方法もある。
【００１３】
【実施例】
図１〜図２に、本発明の一実施例を示す。図４と同一または類似する部材には同じ符号が付されている。
図１において、１は珪酸カルシウム板からなる芯板材、２は金属製下箱体、２ａはその下面板部、２ｂは周囲板部である。３は金属製上箱体、３ａはその上面板部、３ｂは周囲板部であり、４は前記下箱体の下面板部および上箱体の上面板部を芯板材に接着する接着剤である。
【００１４】
前記上箱体３の周囲板部３ｂの下部は、斜め内向きに屈曲する斜面部３ｃとされている。
【００１５】
前記下箱体２の周囲板部２ｂには、前記上箱体３の周囲板部３ｂの板面より内側に僅かに引き込ませた部位に頂点が位置する山形状膨出部２ｃが形成されている。山形状膨出部２ｃの頂点の引き込み量ｔは０．５ｍｍ程度とするのが好ましい。山形状膨出部２ｃの頂点は上箱体の周囲板部と同一面にあっても差し支えない。
【００１６】
前記上箱体３を形成する各周囲板部３ｂには、プレス成形によって内側に突出させた２つの凸部３ｄが形成されている。この凸部３ｄは上箱体３を芯板材に遊嵌する際に芯板材の側面に係合し、上箱体の遊嵌位置を規制するものである。
【００１７】
図３は、上箱体３の周囲板部３ｂから斜面部３ｃにわたって凸部３ｄを形成した変形例を示したものである。
【００１８】
前記上箱体３の周囲板部３ｂの下部から斜め内向きに屈曲する斜面部３ｃの先端と下箱体２の周囲板部２ｂの先端との間に生ずる空所部にはコーキング材６が充填されている。
【００１９】
前記コーキング材６は、芯板材１を下箱体２と上箱体３と共同して密封し、芯板材から発生する可能性のある粉塵の外部への逸散を防止し、また前記空所部での金属板同士の接触を無くし、振動の伝播を緩和する部材として用いられる。
【００２０】
図２（Ａ），（Ｂ）は、敷設された前記フロア用パネルのうち、取り出したパネルを元の場所に戻す際の落とし込み動作を示したものである。
【００２１】
即ち、取り出したパネルＰ2の一方の端部を支持受座５上に着座させた後、反対側の端部を隣りの支持受座５上に落とし込みで着座させると、図２（Ａ）に示すように、パネルＰ2の下箱体２の周囲板部２ｂにおける山形状膨出部２ｃの下側斜辺部分が、隣接するパネルＰ1の上箱体３の角隅部に衝突する。この衝突によるショックは膨出部２ｃの弾性クッション作用で吸収し、そのあと膨出部２ｃはその頂部がパネルＰ1の下箱体２の周囲板部２ｂに沿うようにして落ちゆき、それに伴い上箱体３の周囲板部３ｂおよび斜面部３ｃは隣接するパネルＰ1の上箱体３の角隅部に衝突しない角度姿勢に案内され、図２（Ｂ）に示すように、元の正規位置に収められる。
【００２２】
なお、パネルを構成する下箱体２の周囲板部２ｂに形成する山形状の膨出部２ｃは、その頂点が上箱体３の周囲板部３ｂの板面より外側に突出していると、パネルを元の位置に戻すとき、パネル同士が干渉し合い、パネルを元の正規位置に戻す作業を不能とするばかりでなく、敷設時においても、隣接するパネルの上箱体間に隙間を生じさせることになるので、前記膨出部はその頂点が上箱体の周囲板部と同一面またはその板面の内側の近接部位に位置させることが必要である。
【００２３】
【発明の効果】
以上、詳述したように、本発明によれば、敷設されたフロア用パネルから取り出したパネルの戻し作業で、芯板材に被着されている金属製上箱体を変形させることのない改良されたフリーアクセスフロア用パネルが得られる。
【図面の簡単な説明】
【図１】本発明の一実施例を示すフリーアクセスフロア用パネルの部分断面図である。
【図２】パネルの落とし込み作業時の状態を示す部分側面図である。
【図３】本発明の他の実施例を示すフリーアクセスフロア用パネルの部分断面図である。
【図４】従来のフリーアクセスフロア用パネルの部分断面図である。
【図５】フリーアクセスフロア用パネルの敷設状態を示す側面図である。
【図６】取り外したフロアパネルを戻す際の落とし込み状態を示す断面図である。
【符号の説明】
１  芯板材
２  下箱体
２ａ  下面板部
２ｂ  周囲板部
２ｃ  山形状膨出部
３  上箱体
３ａ  上面板部
３ｂ  周囲板部
３ｃ  斜面部
３ｄ  係合用の凸部
４  接着剤
５  支柱受座
６  コーキング材
Ｐ1〜Ｐ3  敷設されたフロアパネル
【図１】
0003709731.tif 000002
【図２】
0003709731.tif 000003
【図３】
0003709731.tif 000004
【図４】
0003709731.tif 000005
【図５】
0003709731.tif 000006
【図６】
0003709731.tif 000007